(57)【要約】【課題】  地かぶりを防止し、高品質を保つことができる電子写真印刷装置および電子写真印刷方法を提供すること。【解決手段】  トナーおよびキャリヤの２成分からなる現像剤を用いる電子写真印刷装置１であって、静電潜像が形成され、現像装置５によって静電潜像の画線部にトナーが付着されるＯＰＣ感光体３と、ＯＰＣ感光体３の非画線部に対応した静電潜像が形成される除去感光体１０３と、を備え、除去感光体は、ＯＰＣ感光体３の移動方向における現像装置５よりも下流側位置に対向して所定間隔を空けて配置されていることを特徴とする。【選択図】      図１
2007219123.tif 000002
【特許請求の範囲】
【請求項１】
トナーおよびキャリヤの２成分からなる現像剤を用いる電子写真印刷装置であって、
静電潜像が形成され、現像装置によって該静電潜像の画線部にトナーが付着される第一担持体と、
該第一担持体の非画線部に対応した静電潜像が形成される第二担持体と、を備え、
該第二担持体は、前記第一担持体の移動方向における前記現像装置よりも下流側位置に対向して所定間隔を空けて配置されていることを特徴とする電子写真印刷装置。
【請求項２】
前記第一担持体及び前記第二担持体は略円筒形状であって軸を略平行にして対向配置され、同じ速度で回転されることを特徴とする請求項１に記載の電子写真印刷装置。
【請求項３】
前記第二担持体は前記第一担持体に対して相対的に離間接近可能であることを特徴とする請求項１または請求項２のいずれかに記載の電子写真印刷装置。
【請求項４】
第一担持体に静電潜像を形成し、現像装置によって該静電潜像の画線部に帯電したトナーを付着させて画像を形成する電子写真印刷方法であって、
前記第一担持体の表面の移動方向における前記現像装置よりも下流側位置にて、前記第一担持体に所定間隔空けて同方向に移動し、前記第一担持体の非画線部に対応する静電潜像が形成される第二担持体が、電位差によって前記第一担持体の非画線部に付着したトナーを除去する工程を備えていることを特徴とする電子写真印刷方法。
【請求項５】
第一担持体に静電潜像を形成し、現像装置によって該静電潜像の画線部に帯電したトナーを付着させて画像を形成する電子写真印刷装置によって板ガラスにパターンを形成する板ガラスの製造方法であって、
第二担持体に前記第一担持体の非画線部に対応した静電潜像を形成するステップと、
前記第二担持体を前記現像装置よりも下流側位置にて前記第一担持体に接近させ前記第一担持体の非画線部上のトナーを除去するステップと、を有することを特徴とする板ガラスの製造方法。
【発明の詳細な説明】
【技術分野】
【０００１】
本発明は、電子写真印刷装置および電子写真印刷方法、並びに板ガラスの製造方法に関する。
【背景技術】
【０００２】
従来、電子写真印刷装置においては、レーザやＬＥＤ（Ｌｉｇｈｔ  Ｅｍｉｔｔｉｎｇ  Ｄｉｏｄｅ）等を光源に用いて、感光体を帯電および露光させることにより潜像を形成し、感光体の帯電極性と同極性に帯電したトナーを付着させる。
トナーを感光体に付着させる方法として、２成分現像方式が知られている。２成分現像方式は，多極磁石で構成される現像ロール上で磁力により磁性粒子であるキャリヤ（粒径４０〜１２０μｍ）の磁気ブラシを形成し，このブラシで感光体表面を擦ることでキャリヤ表面に付着しているトナー（粒径６〜２０μｍ）を感光体上に現像する方法である。これらは、キャリヤとトナーを一定の比率で混合した現像剤をマグネットローラ全面に付着させ、規制ブレードの隙間によって付着量を一定とし、感光体と現像ローラ間に形成された隙間に供給し感光体に擦りつける。
このとき、感光体には、画像データに応じた静電潜像が形成されており、現像ローラに印加された電圧との電位差により生じる静電気力を利用して、画線部ではキャリヤからトナーを引き剥がして感光体側に付着させ、非画線部では静電気的反発力で感光体にトナーが付着しないようにして、静電潜像に応じたトナー像を感光体上に形成する。
【特許文献１】特許第２５１７１８８号
【特許文献２】特公平３−３０１３６号
【発明の開示】
【発明が解決しようとする課題】
【０００３】
しかしながら、現像領域では、キャリヤが感光体にこすり付けられ、あるいはキャリヤ同士が擦れあうため、キャリヤ表面に静電気力で付着したトナーがキャリヤから脱落し、感光体の非画線部にもトナーが付着する汚れ、いわゆる「地かぶり」が発生する。
通常の印刷物の場合、「地かぶり」があっても、視認されないレベルであれば許容されるが工業製品で導電性のパターンなどを形成する場合には、電気的なノイズや耐圧などの機能劣化の原因となる可能性が高いため、目に見えない場合でも地かぶりを無くす必要がある。
【０００４】
しかし、現状の２成分現像方式では上記原理に基づいて、地かぶりをゼロにするのは難しいという問題があった。
他の現像方式として、１成分現像方式や非接触型のジャンピング現像もあるが、感光体上の非画線部にもトナーが接触供給されるため、同様に地かぶりが発生する。
【０００５】
本発明は上記事情に鑑みて成されたものであり、地かぶりを防止し、高品質を保つことができる電子写真印刷装置および電子写真印刷方法、並びに板ガラスの製造方法を提供することを目的とする。
【課題を解決するための手段】
【０００６】
請求項１に記載の発明は、現像剤を用いる電子写真印刷装置であって、トナーおよびキャリヤの２成分からなる現像剤を用いる電子写真印刷装置であって、静電潜像が形成され、現像装置によって該静電潜像の画線部にトナーが付着される第一担持体と、該第一担持体の非画線部に対応した静電潜像が形成される第二担持体と、を備え、該第二担持体は、前記第一担持体の移動方向における前記現像装置よりも下流側位置に対向して所定間隔を空けて配置されていることを特徴とすることを特徴とする。
【０００７】
第一担持体および第二担持体は、一般的に負に帯電しているので、徐電される画線部は非画線部に比べて電位が高く（負の値が小さく）なっている。
本発明によれば、第二担持体は、第一担持体の非画線部に対応した静電潜像の画線部が形成されるので、電位の低い第一担持体の非画線部に対応して電位の高い第二担持体の画線部が略同じ形状で対向することとなる。
このため、第一担持体の非画線部から第二担持体の画線部に向く電界が形成されるので、第一担持体の非画線部に付着したトナーはこの電界に引っ張られて第二担持体の画線部に移動することとなる。
このように、第一担持体の非画線部に付着して地かぶりの原因となるトナーを、第二担持体によって取り除くことができるので、印刷物の地かぶりを防止し、高品質を保つことができる。
第一担持体の画線部と、それに対応する第二担持体の非画線部とでは、第一担持体の画線部の方が電位が高くなるので、第一担持体の画線部から第二担持体の非画線部に向く電界が形成される。このため、第一担持体の画線部に付着したトナーには第一担持体側へ向けた電界が作用するので、画線部の画像が劣化することを防止できる。
なお、第二担持体の画線部の領域は、第一担持体上の非画線部と全く同じとしてもよいし、必要に応じてこの非画線部よりも狭く、または広く設定してもよい。
第二担持体の画像部の領域を第一担持体上の非画線部より狭くした場合は、汚れ除去用としての第二担持体の効果が第一担持体上の画像エッジ部に影響を及ぼさないため、画線部の画像を忠実に再現出来る。また、第二担持体の画線部の領域を第一担持体上の非画線部より広くした場合は、汚れ除去用としての第二担持体の効果が第一担持体上の画像エッジ部に影響を及ぼし、画線部の画像近傍の汚れを除去することが可能となり、シャープな画像を得ることができる。
【０００８】
請求項２に記載の発明は、請求項１に記載の電子写真印刷装置において、前記第一担持体及び前記第二担持体は略円筒形状であって軸を略平行にして対向配置され、同じ速度で回転されることを特徴とする。
【０００９】
このように、第一担持体及び第二担持体は略円筒形状であって軸を略平行にして対向配置され、同じ速度で回転されるので、第一担持体の非画線部と第二担持体の画線部とを容易に対応させることができる。
【００１０】
請求項３に記載の発明は、請求項１または２に記載の電子写真印刷装置において、前記第二担持体は前記第一担持体に対して相対的に離間接近可能であることを特徴とする。
【００１１】
これにより、第一担持体の非画線部と第二担持体の画線部との間に形成される電界の強さを調整することができ、第二担持体によるトナー除去性能を制御することができる。
【００１２】
また、請求項４に記載の発明は、第一担持体に静電潜像を形成し、現像装置によって該静電潜像の画線部に帯電したトナーを付着させて画像を形成する電子写真印刷方法であって、前記第一担持体の表面の移動方向における前記現像装置よりも下流側位置にて、前記第一担持体に所定間隔空けて同方向に移動し、前記第一担持体の非画線部に対応する静電潜像が形成される第二担持体が、電位差によって前記第一担持体の非画線部に付着したトナーを除去する工程を備えていることを特徴とする。
【００１３】
本発明によれば、第二担持体は、第一担持体の非画線部に対応した静電潜像の画線部が形成されるので、電位の低い第一担持体の非画線部に対応して電位の高い第二担持体の画線部が略同じ形状で対向することとなる。
このため、第一担持体の非画線部から第二担持体の画線部に向く電界が形成されるので、第一担持体の非画線部に付着したトナーはこの電界に引っ張られて第二担持体の画線部に移動することとなる。
このように、第一担持体の非画線部に付着して地かぶりの原因となるトナーが、第二担持体によって取り除くことができるので、印刷物の地かぶりを防止し、高品質を保つことができる。
第一担持体の画線部と、それに対応する第二担持体の非画線部とでは、第一担持体の画線部の方が電位は高くなるので、第一担持体の画線部から第二担持体の非画線部に向く電界が形成される。このため、第一担持体の画線部に付着したトナーには第一担持体側へ向けた電界が作用するので、画線部の画像が劣化することを防止できる。
【００１４】
また、本発明にかかる板ガラスの製造方法は、第一担持体に静電潜像を形成し、現像装置によって該静電潜像の画線部に帯電したトナーを付着させて画像を形成する電子写真印刷装置によって板ガラスにパターンを形成する板ガラスの製造方法であって、第二担持体に前記第一担持体の非画線部に対応した静電潜像を形成するステップと、前記第二担持体を前記現像装置よりも下流側位置にて前記第一担持体に接近させ前記第一担持体の非画線部上のトナーを除去するステップと、を有することを特徴とする。
【００１５】
本発明によれば、第二担持体の静電潜像によって第一担持体の非画線部上のトナーが除去されるので、地かぶりのない画像が形成された板ガラスを得ることができる。
このように、地かぶりのない画像が形成された板ガラスが得られるので、特に、導電性のパターンで電気回路を形成する場合、電気的なノイズや耐圧などの機能劣化が少ない高品質の製造物が得られる。
【発明の効果】
【００１６】
本発明によれば、非画線部に付着したトナーを除去することができるため、地かぶりを防止して高品質の印刷物を得ることができる。
【発明を実施するための最良の形態】
【００１７】
以下、本発明の一実施形態に係る電子写真印刷装置及び該電子写真印刷装置により実現される電子写真印刷方法について、図１から図４を参照して説明する。
図１は、本実施形態に係る電子写真印刷装置の概略構成を説明する図である。
電子写真印刷装置１は、図１に示すように、表面が有機感光体（ＯＰＣ）で形成されトナーを選択的に吸着して像を形成するＯＰＣ（Ｏｒｇａｎｉｃ  Ｐｈｏｔｏｃｏｎｄｕｃｔｏｒ）感光体（第一担持体）３と、トナーとキャリヤからなる２成分現像剤の内、トナーをＯＰＣ感光体３に供給する現像装置５と、ＯＰＣ感光体３上に吸着されたトナーをガラス板Ｇに転写する中間体７と、非画線部トナー除去装置１００と、ＲＩＰ（Ｒａｓｔｅｒ  Ｉｍａｇｅ  Ｐｒｏｃｅｓｓｏｒ）等の画像信号を作成する画像信号作成システム１７とから概略構成されている。
なお、ＯＰＣ感光体３の表面は、アモルファスシリコン（ａ−Ｓｉ）で構成されていてもよい。
【００１８】
なお、本実施形態における電子写真印刷装置１は、ガラス板Ｇの上に所定形状の金属配線を形成するものに適用して説明する。
本実施形態において用いられるトナーは、銀の粉とガラスの粉を樹脂に練り込み、細かく粉砕したものである。樹脂としてはスチレンやスチレンアクリルなどを例示でき、粉砕後の大きさとしては直径が１０μｍから２０μｍ程度のものを例示できる。また、トナーには静電付与剤が混ぜられていることが望ましい。ガラスの粉は、トナーをガラス板Ｇに固定する接着剤の働きを示すものである。
キャリヤは、フェライトや鉄、ニッケル、コバルトなどの強磁性体をコア材とし、表面を樹脂でコーティングした磁性材料を用いる。本実施形態で用いる２成分現像剤にはトナーがキャリヤに対して略６ｗｔ％混合され、トナーとキャリヤとは静電気力により結合している。
【００１９】
ＯＰＣ感光体３は略円柱状に形成され、その中心軸線回りに回転駆動されるように配置されている。ＯＰＣ感光体３の周囲には、中間体７に対する対向領域から回転方向に向かって、クリーニング装置９と、除電装置１１と、帯電装置１３と、露光装置１５と、現像装置５と、非画線部トナー除去装置１００とが配置されている。
【００２０】
帯電装置１３は、スコロトロン（ｓｃｏｒｏｔｒｏｎ）などのコロナ放電器から構成されている。帯電装置１３は、ＯＰＣ感光体３における円周面の全面に負の静電気を帯電させ、ＯＰＣ感光体３が所定の負の電位、例えば略−１０００Ｖを帯びるように構成されている。
【００２１】
露光装置１５は、ＯＰＣ感光体３の中心軸線方向に配列されたＬＥＤから構成され、ＬＥＤ（Ｌｉｇｈｔ  Ｅｍｉｔｔｉｎｇ  Ｄｉｏｄｅ）から出射された光がＯＰＣ感光体３の円周面に照射されるように配置されている。ＬＥＤは、画像信号作成システム１７から送られる画像信号に基づいて、光の出射が制御され、所定の像を描くように構成されている。
ＯＰＣ感光体３における光が照射された領域では、負の帯電が抜けることで、電位の違いによる像（静電潜像）が形成される。
クリーニング装置９は、ＯＰＣ感光体３の円周面上に付着した転写残りトナーを除去するものである。
【００２２】
除電装置１１は、ＯＰＣ感光体３の中心軸線方向に配列されたＬＥＤから構成され、ＬＥＤから出射された光がＯＰＣ感光体３における円周面の全面に照射されるように配置されている。
円周面の全面に光が照射されることにより、トナーの転写後もＯＰＣ感光体３に残る電位の違いによる像を消去することができる。
【００２３】
次に、現像装置５について説明する。
現像装置５には、筐体５１と、第１攪拌搬送ローラ５３と、第２攪拌搬送ローラ５５と、第３攪拌搬送ローラ５７と、現像ローラ５９と、が備えられている。
第１攪拌搬送ローラ５３、第２攪拌搬送ローラ５５、第３攪拌搬送ローラ５７および現像ローラ５９は、ＯＰＣ感光体３から最も離れた位置からこの順に、ＯＰＣ感光体３に対して略平行に並んで配置されている。
【００２４】
第１攪拌搬送ローラ５３の周面には、軸線方向に延在する板状体（図示せず）が略等間隔空けて複数枚取り付けられている。第１攪拌搬送ローラ５３が回転駆動されることにより、トナーとキャリヤとが板状体によって第２攪拌搬送ローラ５５の方へ攪拌されつつ搬送されるように構成されている。
【００２５】
第２攪拌搬送ローラ５５および第３攪拌搬送ローラ５７の周面には、螺旋状のスクリュウ（図示せず）が取り付けられている。第２攪拌搬送ローラ５５および第３攪拌搬送ローラ５７が回転駆動されることにより、トナーとキャリヤとが現像ローラ５９側に搬送されつつ攪拌されるように構成されている。
【００２６】
現像ローラ５９は、いわゆる、マグネットローラであり、回転する略円筒状のスリーブ（図示せず）と、スリーブ内に配置される磁力形成部（図示せず）とで構成されている。このスリーブには、例えば、略−８００Ｖの負極の電圧が印加されている。
磁力形成部は、ＯＰＣ感光体３と対向する領域で磁力が大きくなるような所定の磁場を形成するように構成されている。
【００２７】
次に、非画線部トナー除去装置１００の詳細な構成について説明する。
非画線部トナー除去装置１００は、ＯＰＣ感光体３の非画線部に対応した静電潜像が形成される除去感光体（第二担持体）１０３を用い、ＯＰＣ感光体３の非画線部に付着したトナーを取り除く装置である。
【００２８】
図１に示したように、非画線部トナー除去装置１００には、除去感光体１０３と、クリーニング装置１０９と、除電装置１１１と、帯電装置１１３と、露光装置１１５と、が備えられている。
除去感光体１０３は略円筒形状であって、表面はＯＰＣ感光体３と同様に有機感光体（ＯＰＣ）で形成されている。
除去感光体１０３は、ＯＰＣ感光体３と略平行に所定隙間を設けて配置されている。除去感光体１０３はその中心軸線周りに回転可能に支持され、ＯＰＣ感光体３と同じ回転速度で回転するように構成されている。さらに、除去感光体１０３はＯＰＣ感光体３との隙間を調整可能とすべく、ＯＰＣ３感光体３側に進退自在に支持されている。
【００２９】
ＯＰＣ感光体３対向位置から除去感光体１０３の回転方向に沿って、前記のクリーニング装置１０９と、除電装置１１１と、帯電装置１１３と、露光装置１１５とが設けられている。
クリーニング装置１０９、除電装置１１１、帯電装置１１３および露光装置１１５は、それぞれ前述のクリーニング装置９、除電装置１１、帯電装置１３および露光装置１５と同じ構成とされている。
【００３０】
中間体７は、ＯＰＣ感光体３と略平行に配置され、中心軸線回りに回転自在に支持されたドラム状の回転体である。
中間体７の周囲にはローラ２３が設けられ、ローラ２３と中間体７との間にトナーが転写されるガラス板Ｇが挟み込まれるようになっている。
【００３１】
次に、上記の構成からなる電子写真印刷装置１における作用について説明する。
電子写真印刷装置１に供給される２成分現像剤は、現像装置５における第１攪拌搬送ローラ５３、第２攪拌搬送ローラ５５および第３攪拌搬送ローラ５７において攪拌されつつ、現像ローラ５９の方へ搬送される。
この時、攪拌されたトナーには、キャリヤとの接触帯電によって負の静電気が帯電し、この静電気力によってトナーとキャリヤとが結合する。
【００３２】
この２成分現像剤は、第３攪拌搬送ローラ５７から現像ローラ５９へと受け渡される。現像ローラ５９では、磁力形成手段が形成した磁力によって、トナーが付着したキャリヤがスリーブの回りに捕捉される。スリーブの回転に伴いトナーが付着したキャリヤはＯＰＣ感光体３と対向する領域に向けて搬送される。
ＯＰＣ感光体３と対向する領域に搬送された２成分現像剤のうちトナーは、後述するＯＰＣ感光体３における静電潜像が形成された領域へ、電位差により現像ローラ５９から移動（ジャンプ）する。
【００３３】
２成分現像剤のうちのキャリヤは、そのまま現像ローラ５９に付着し続け、現像ローラ５９の回転により搬送される。なお、現像ローラ５９におけるＯＰＣ感光体３と対向する領域の磁界が強くなっているため、電位差によってトナーとともにキャリヤがＯＰＣ感光体３へ移動することを防止できる。
また、現像ローラ５９におけるＯＰＣ感光体３への対抗位置よりも下流側の領域では、磁界の強度が低下しているため、キャリヤが現像ローラ５９から落下する。落下したキャリヤは、第１攪拌搬送ローラ５３、第２攪拌搬送ローラ５５および第３攪拌搬送ローラ５７に向けて搬送されるとともにトナーと攪拌されつつ、再度現像ローラ５９の方へ搬送され、循環活用される。
【００３４】
ＯＰＣ感光体３の円周面は、帯電装置１３により略−１０００Ｖの電位が印加される。その後、略−１０００Ｖとされた上記円周面に対して、露光装置１５から出射された光が照射される。
光を照射された円周面の領域においては、電位の一部が抜けて上記領域の電位が略−１５０Ｖに低下する。
露光装置１５は、画像信号作成システム１７から送られる画像信号に基づいて光の出射が制御され、所定の像をＯＰＣ感光体３上に描いている。そのため、ＯＰＣ感光体３の円筒面上に電位差による静電潜像の画線部３Ｂが形成される。（図２（Ｒ）参照）
【００３５】
上記画線部３Ｂが現像装置５を通過する際、電位差により、現像ロール５９からトナーが付着する。つまり、ＯＰＣ感光体３の円筒面における電位は略−１０００Ｖであり、画線部３Ｂにおける電位は略−１５０Ｖであり、現像ロール５９の電位は略−８００Ｖであるため、負に帯電したトナーは、電位のより高い画線部３Ｂに静電気力によって移動し、画線部３Ｂの上にのみ付着する。これにより、画像が形成される。（図２（Ｇ）参照）
なお、負に帯電されたトナーが付着することによって、画線部３Ｂの電位は、例えば略−５００Ｖに下がる。
【００３６】
しかしながら、静電潜像の画線部３Ｂ以外の領域（非画線部３Ａ）に対してもわずかながらトナーが付着し、地かぶりトナーＪが形成される。そのため、非画線部トナー除去装置１００により、非画線部３Ａの地かぶりトナーＪが以下のように除去される。
除去感光体１０３はＯＰＣ感光体３と同じ速度で（同期して）回転する。除去感光体１０３表層には、帯電装置１１３により略−１０００Ｖの電位が印加される。その後、略−１０００Ｖとされた上記円周面に対して、露光装置１１５から出射された光が照射される。光を照射された円周面の領域においては、電位の一部が抜けて上記領域の電位が略−１５０Ｖに低下する。
【００３７】
露光装置１１５は、画像信号作成システム１７から画像信号に基づいて光の出射が制御され、所定の像を除去感光体１０３上に描いている。
この時、画像信号作成システム１７からは露光装置１５へ送られる画像信号とは逆転された画像信号が露光装置１１５へ送られるため、除去感光体１０３の円筒面上には、ＯＰＣ感光体３の周面とは逆転された静電潜像の画線部１０３Ｂが形成される。
すなわち、露光装置１１５によって形成される画線部１０３ＢはＯＰＣ感光体３に形成される静電潜像の非画線部３Ａに対応した静電潜像である。（図２（ＲＪ）参照）
【００３８】
図３はこの時の状態について示している。ＯＰＣ感光体３の非画線部３Ａの電位は略−１０００Ｖ、それに対向する除去感光体１０３の画線部１０３Ｂの電位は略−１５０Ｖである。
このため、ＯＰＣ感光体３の非画線部３Ａと除去感光体１０３の画線部１０３Ｂとの間には、ＯＰＣ感光体３の非画線部３Ａから除去感光体１０３の画線部１０３Ｂへ向いた電界が発生する。（図３に矢印で示す。）
ＯＰＣ感光体３の非画線部３Ａに付着したトナー１２１は、この電界によって除去感光体１０３の方へ引っ張られ、画線部１０３Ｂに移動して付着する。
このように、ＯＰＣ感光体３の非画線部３Ａに付着して地かぶりトナーＪを形成するトナー１２１を、除去感光体１０３によって取り除くことができる。（図２（Ｔ）、（ＴＪ）参照）
【００３９】
一方、ＯＰＣ感光体３の画線部３Ｂの電位は略−５００Ｖ、それに対向する除去感光体１０３の非画線部１０３Ａの電位は略−１０００Ｖである。
このため、ＯＰＣ感光体３の画線部３Ｂと除去感光体１０３の非画線部１０３Ａとの間には、除去感光体１０３の非画線部１０３ＡからＯＰＣ感光体３の画線部３Ｂへ向いた電界が発生する。（図３に矢印で示す。）
このように、ＯＰＣ感光体の画線部３Ｂに付着したトナー１２１にはＯＰＣ感光体３側へ向けた電界が作用するので、画線部３Ｂのトナー１２１が画線部３Ｂに押付けられる。このため、トナー１２１が維持されるので、画像が劣化することを防止できる。
【００４０】
除去感光体１０３の画線部１０３Ｂに付着した地かぶりトナーＪは、その後除去感光体１０３の回転によってクリーニング装置１０９によって図２（ＣＪ）に示されるように除去感光体１０３から除去される。
地かぶりトナーＪが除去された除去感光体１０３は、除電装置１１１で徐電され、帯電装置１１３で帯電され、露光装置１１５で静電潜像が形成される。
【００４１】
一方、非画線部トナー除去装置１００によって地かぶりトナーＪが除去されたＯＰＣ感光体３は、図２（Ｔ）に示されるように画線部３Ｂにのみトナーが付着された状態で、中間体７と対向する領域に到る。この領域において、ＯＰＣ感光体３に形成された負に帯電したトナーは中間体７の上に転写され、次いで、ガラス板Ｇに転写される。
このように、非画線部トナー除去装置１００によって地かぶりトナーＪが除去された状態でガラス板Ｇに転写されるので、印刷物の地かぶりを防止し、高い印刷品質を保つことができる。
【００４２】
トナーが中間体７に転写された後、ＯＰＣ感光体３上に残ったトナーは、クリーニング装置９によって図２（Ｃ）に示されるように除去される。その後、除電装置１１によりＯＰＣ感光体３上に残る静電潜像が消される。
【００４３】
ガラス板Ｇに転写されたトナーは接着剤として働くガラス粉によりガラス板Ｇに固定される。トナーには、導電性を有する銀の粉が含まれているため、例えば、所定パターンのトナーを転写することで、ガラス板Ｇ上に曇り取り用熱線などの配線を形成することができる。
【００４４】
以上のように、本実施形態によれば、非画線部に付着したトナーを除去することができるため、地かぶりを防止して高い印刷品質を得ることができる。
また、除去感光体１０３はＯＰＣ感光体３の画線部に接触しないため、画線部を劣化させない。
なお、除去感光体１０３表層に記録される静電潜像は、ＯＰＣ感光体３上に記録される静電潜像の非画線部と同じ面積となるように記録されてもよいし、必要に応じて非画線部よりも狭く、または広く設定してもよい。これにより画質を調整することができる。
なお、除去感光体１０３の画像部１０３Ｂの領域をＯＰＣ感光体３上の非画線部３Ａより狭くした場合は、汚れ除去用としての除去感光体１０３の効果がＯＰＣ感光体３上の画像エッジ部に影響を及ぼさないため、画線部３Ｂの画像を忠実に再現出来る。
また、除去感光体１０３の画線部１０３Ｂの領域をＯＰＣ感光体３上の非画線部３Ａより広くした場合は、汚れ除去用としての除去感光体１０３の効果がＯＰＣ感光体３上の画像エッジ部に影響を及ぼし、画線部３Ｂの画像近傍の汚れを除去することが可能となり、シャープな画像を得ることができる。
【００４５】
なお、図４に示すように、除去感光体１０３の基材に対して電圧、例えば＋５００Ｖを印加し、所定の電位差を得るようにしてもよい。
これにより−１０００Ｖの電位を持つ非画線部１０３Ａの電位は−５００Ｖ、画線部１０３Ｂの電位は＋３５０Ｖとなる。一方、ＯＰＣ感光体３では、電位が変わらないので、ＯＰＣ感光体３の非画線部３Ａと除去感光体１０３の画線部１０３Ｂとの電位差は、１３５０Ｖと大きくでき、より強力にＯＰＣ感光体３の非画線部３Ａに付着したトナー１２１を除去感光体１０３の画線部によって除去することができる。
【００４６】
また、ＯＰＣ感光体３の画線部３Ｂと除去感光体１０３の非画線部１０３Ａとの間では電位差がなくなるので、電界が発生せず、ＯＰＣ感光体３の画線部３Ｂに付着したトナー１２１に対する外力がかからない。このため、トナー１２１が移動しなくなるので、画像の劣化をより防止することができる。
このように、ＯＰＣ感光体３あるいは除去感光体１０３の基材に所定の電位を与えることによって、ＯＰＣ感光体３の非画線部３Ａと除去感光体１０３の画線部１０３Ｂとの間に形成される電界の強さを調整することができ、除去感光体１０３によるトナー除去性能を制御することができる。
【００４７】
なお、本発明の技術範囲は上記実施形態に限定されるものではなく、本発明の趣旨を逸脱しない範囲において種々の変更を加えることが可能である。
例えば、上記の実施の形態においては、銀の粉を含むトナーをガラス板に転写する構成に適用して説明したが、この構成に限られることなく、その他各種の材料を含有するトナーを他の部材に転写する構成に適用することができるものである。
【図面の簡単な説明】
【００４８】
【図１】本発明の一実施形態に係る電子写真印刷装置の概略構成を説明するブロック図である。
【図２】ＯＰＣ感光体および除去感光体の表面状態の変化を示す変化説明図である。
【図３】除去感光体とＯＰＣ感光体との間の電位状態を示す部分断面図である。
【図４】除去感光体とＯＰＣ感光体との電位状態の他の例を示す部分断面図である。
【符号の説明】
【００４９】
１  電子写真印刷装置
３  ＯＰＣ感光体
５  現像装置
１００  非画線部トナー除去装置
１０３  除去感光体
【図１】
2007219123.tif 000003
【図２】
2007219123.tif 000004
【図３】
2007219123.tif 000005
【図４】
2007219123.tif 000006